(57)【要約】      （修正有）【課題】コンピュータ装置を用い、従来は人手により全て行なっていた迷子の捜索や迷子のお知らせを容易にし、遊園地等の空間内で迷子になった子供の情報を正確に把握することができ、容易に迷子を認識、特定することができる迷子検知システムを提供する。【解決手段】迷子検知システムは、少なくとも１つの開口を備えた空間内に収容された複数の移動体４と、該複数の移動体に貼付されたシール層と、当該シール層上に設けられたインク層を読み取り、前記複数の移動体の１つと同定するための同定手段３とからなる迷子検知システムであって、前記シール層の表面に設けられたインク層が、前記複数の移動体を区別する符号および／または数字および／または文字の形態として島状に形成され、前記シール層が、当該シール層の裏面に設けられた接着剤層を介して前記複数の移動体のそれぞれに貼付されてなることを特徴とする。【選択図】図１
0003154162.tif 000002
【実用新案登録請求の範囲】
【請求項１】
少なくとも１つの開口を備えた空間内に収容された複数の移動体と、
該複数の移動体に貼付されたシール層と、
当該シール層上に設けられたインク層を読み取り、前記複数の移動体の１つと同定するための同定手段と
からなる迷子検知システムであって、
前記シール層の表面に設けられたインク層が、前記複数の移動体を区別する符号および／または数字および／または文字の形態として島状に形成され、
前記シール層が、当該シール層の裏面に設けられた接着剤層を介して前記複数の移動体のそれぞれに貼付されてなることを特徴とする迷子検知システム。
【請求項２】
前記符号および／または数字および／または文字の形態がＱＲコードであることを特徴とする請求項１記載の迷子検知システム。
【考案の詳細な説明】
【技術分野】
【０００１】
本考案は、少なくとも１つの開口を備えた空間内における迷子検知システムに関する。なお、本考案において、空間とは、料金の支払いや招待状の提示により侵入が許される遊園地、大規模商業施設、海水浴場、プール、野球場、サッカー場、陸上競技場、競馬場、競輪場等の競技場、祭り会場、花火会場、コンサート会場、宴会場、パーティー会場、劇場等を含む概念である。
【背景技術】
【０００２】
従来、遊園地や大規模商業施設内などで、子供が迷子になった場合、人手により、迷子を探し出し、迷子になった子供の名前や年齢などの特徴を館内放送や、遊園地内に設けられたスピーカによるアナウンスにより保護者に迷子のお知らせをしている。
【０００３】
しかしながら、上記アナウンスにより迷子のお知らせをする際、子供が幼すぎて自分の名前を言えなかったり、泣き止まずに名前を聞き出せない場合には、子供の特徴をアナウンスするしかなく、迷子の子供の特徴が正確につかめない。また、館内放送や屋外のスピーカは、周囲の雑音により迷子の情報が聞こえないことが多く、迷子の子供の親が迷子情報を正確につかむことができない。
【考案の概要】
【考案が解決しようとする課題】
【０００４】
そこで、本考案は、かかる問題点に鑑みて、迷子になった子供が自分の名前や親の連絡先を話せない場合であっても、ＱＲコード（登録商標）、コンピュータ装置を用い、従来は人手により全て行なっていた迷子の捜索や迷子のお知らせを容易にし、遊園地等の空間内で迷子になった子供の情報を正確に把握することができ、容易に迷子を認識、特定することができる迷子検知システムの提供を目的とする。
【課題を解決するための手段】
【０００５】
本考案の迷子検知システムは、少なくとも１つの開口を備えた空間内に収容された複数の移動体と、該複数の移動体に貼付されたシール層と、当該シール層上に設けられたインク層を読み取り、前記複数の移動体の１つと同定するための同定手段とからなる迷子検知システムであって、前記シール層の表面に設けられたインク層が、前記複数の移動体を区別する符号および／または数字および／または文字の形態として島状に形成され、前記シール層が、当該シール層の裏面に設けられた接着剤層を介して前記複数の移動体のそれぞれに貼付されてなることを特徴とする。
【０００６】
また、前記符号および／または数字および／または文字の形態がＱＲコードであることが好ましい。
【考案の効果】
【０００７】
本考案によれば、島状に形成されたインク層を同定手段が検知できるので、容易に迷子を認識し、特定することができ、保護者に連絡をつけることができる。
【図面の簡単な説明】
【０００８】
【図１】本考案の迷子検知システムの全体の構成を示す図である。
【図２】本考案に用いられるシールの構造を示す図である。
【図３】本考案の他の実施の態様を示す図である。
【図４】移動体に貼付されたＱＲコードが印刷されたシールを説明する図である。
【図５】本考案の迷子検知システムの構成を示す図である。
【図６】本考案の迷子検知システムにおける移動体の登録を説明するための図である。
【図７】本考案の迷子検知システムにおける迷子情報の送信を説明するための図である。
【図８】本考案の実施例における迷子検知システムへの登録を説明するための図である。
【図９】本考案の実施例における迷子検知システムの構成を説明するための図である。
【図１０】本考案の実施例における登録完了のメールの一例を示す図である。
【図１１】本考案の実施例における迷子検知システムを説明するための図である。
【図１２】本考案の実施例における迷子発見時のメールの一例を示す図である。
【考案を実施するための形態】
【０００９】
以下、添付図面を参照し、本考案の迷子検知システムを詳細に説明する。
【００１０】
図１は本考案の迷子検知システムの全体の構成を示す図、図２は本考案に用いられるシールの構造を示す図、図３は本考案の他の実施の態様を示す図、図４は移動体に貼付されたＱＲコードが印刷されたシールを説明する図、図５は本考案の迷子検知システムの構成を示す図、図６は本考案の迷子検知システムにおける移動体の登録を説明するための図、図７は本考案の迷子検知システムにおける迷子情報の送信を説明するための図、図８は本考案の実施例における迷子検知システムへの登録を説明するための図、図９は本考案の実施例における迷子検知システムの構成を説明するための図、図１０は本考案の実施例における登録完了のメールの一例を示す図、図１１は本考案の実施例における迷子検知システムを説明するための図、図１２は本考案の実施例における迷子発見時のメールの一例を示す図である。
【００１１】
本考案の迷子検知システムは、図１〜３を参照すると、少なくとも１つの開口を備えた空間１内に収容された複数の移動体４と、複数の移動体４に貼付されたシール層５ａと、当該シール層５ａ上に設けられたインク層５ｂを読み取り、複数の移動体４の１つと同定するための同定手段３とから構成されている。
【００１２】
前記シール層５ａを含むシール５は、図２（ａ）および（ｂ）に示されるように、シール層５ａの表面にインク層５ｂが設けられ、シール層５ａの裏面に接着剤層５ｃが設けられている。シール層５ａの表面に設けられたインク層５ｂは、複数の移動体４を区別する符号および／または数字および／または文字（以下、識別コードという）の形態として島状に形成され、シール層５ａが、シール層５ａの裏面に設けられた接着剤層５ｃを介して複数の移動体４のそれぞれに貼付される。本考案において、情報の文字列を表示するために、島状に分布したインク層を用いて、たとえば「００１」を表現するために、図２中左側から３つの所定の幅および間隔を有する島状のインク層５０ｂ、５１ｂ、５２ｂにより、「０」を構成し、図２中左から４つ〜６つ目の５３ｂ、５４ｂ、５５ｂにより「０」を構成し、図２中左から７つ〜９つ目の５６ｂ、５７ｂ、５８ｂにより「１」を構成している。したがって、この文字列のかわりにバーコードのバーに置き換えることもでき、また、ＱＲコードに置き換えることもできる。インク層とは、符号、数字、文字によって移動体を区別するためのものであり、シール層の表面に形成され、当該インク層はＱＲコードであることが最も好ましい。また、インク層は、ＱＲコードに限られることはなく、バーコードや単なる数字、文字、符号などの文字列であってもよく、それらがインク層によって形成されたものを採用することができる。なお、インク層の表面側には、インク保護層を設けることもできる。
【００１３】
また、シール５のＱＲコードはカラーとすることもでき、ＱＲコードの周囲に、山や木、月、太陽、熊、鹿、猪、犬、猫などの動物やマンガのキャラクターや迷子検知システムが用いられる施設のキャラクターが、インク層によって形成されることがさらに好ましい。また、キャラクター以外に、企業の公告、宣伝等を付することもできる。
【００１４】
空間１は、上述のとおり、遊園地、大規模商業施設、海水浴場、プール、野球場、サッカー場、陸上競技場、競馬場、競輪場等の競技場、祭り、花火等のイベント会場、コンサート会場、宴会場、パーティー会場、劇場等を含む概念である。
【００１５】
遊園地を例に挙げて説明すると、遊園地内を複数の移動体４が移動しており、移動体としてはたとえば人や犬、猫などの動物である。また、遊園地内には、電子式タグ５２またはＱＲコード５１内に格納された識別コード６を読み取るための複数の同定手段３である電子式または光学的検知器が設けられている。電子式タグを読み取るための電子式検知器としては、ＲＦＩＤタグリーダ等を用いることができ、ＱＲコード５１の読み取りには、ＱＲコードリーダーが内蔵された携帯電話やバーコードリーダーを用いることができる。電子式検知器または光学的検知器等の同定手段３と、同定手段３からの情報に基づいて移動体４の情報を参照するデータベースを備えたコンピュータ装置７は図１および図５に示されるように、インターネットを介してまたは専用回線により接続されており、同定手段３により検知されたデータが、コンピュータ装置７に送信される。また、図１および図５に示されるように、コンピュータ装置７は空間１内に設けることもできるし、空間１の外に設けることもできる。
【００１６】
コンピュータ装置７は、図５に示されるように、施設側データベース８を備えており、施設側データベース８には、識別コード６が格納される。識別コード６としては、たとえばＱＲコード５１のＩＤ番号と移動体４が所有している移動体側移動端末９のメールアドレスを用いることができ、コンピュータ装置７内でＩＤ番号とメールアドレスが関連づけられる。識別コード６は、ＩＤ番号とメールアドレスに限られることはなく、名前、年齢、連絡先、学校、住所、ＩＤ番号のうちの１つかまたは２以上の情報とすることができ、特に限定されるものではない。
【００１７】
また、コンピュータ装置７は、必ずしも空間１内に設ける必要はなく、空間１の外部に設けることができ、複数の空間、たとえば、遊園地、プール、イベント会場等の複数のデータベース８１、８２、８３を一元管理することもできる。
【００１８】
さらに、コンピュータ装置７は、移動体側移動端末９と通信可能な受信手段と、データベースを照合する照合手段と、移動体側移動端末９に迷子情報を送信する送信手段とを備えている。
【００１９】
また、移動体４には、図３に示すように、電子式タグ５２またはＱＲコード５１が印刷されたシール５が貼付されている。具体的には、図４（ａ）に示すように、移動体４にＱＲコード５１が印刷されたシール５が貼付されたり、名札ケースのようなものに、電子式タグ５２が収納されることにより、移動体４に取り付けられる。
【００２０】
また、図３に示すように、電子式タグ５２が移動体４に取り付けられている場合は、電子式タグ５２を読み取る同定手段３を空間１内の少なくとも１つの開口に設け、迷子の子供が空間１内から出て行ってしまうことを確実に防ぐことができる。また、同定手段３は、開口に設ける必要はなく、空間１内に、１または複数の同定手段３を設けることにより、同定手段３を通過した迷子の子供を検知することができ、従来人手により行なっていた捜索を容易にすることができる。
【００２１】
つぎに、図６および図７を用いて、本考案の迷子検知システムの流れを説明する。図５に移動体４の登録の流れを示す。まず、移動体４にたとえば遊園地等の空間１の入口でＱＲコード５１が印刷されたシール５を配布する（Ｓ１）。つぎに移動体側移動端末９によりＱＲコード５１を読み取る（Ｓ２）。ＱＲコード５１を読み取ると、送信手段を備えた移動体側移動端末９はコンピュータ装置７に送信可能な状態となり、移動体４は、コンピュータ装置７にメールを送信するか、またはＷＥＢサイトから情報を送信する（Ｓ３）。移動体側移動端末９から、コンピュータ装置７にＱＲコード５１に割り当てられたＩＤ番号と移動体側移動端末９のメールアドレスが送信され、送信されたＩＤ番号とメールアドレスがコンピュータ装置７のデータベース８に格納される（Ｓ４）。なお、このときＩＤ番号とメールアドレスだけでなく、電話番号や子供の特徴も送信することができ、ＩＤ番号とメールアドレスに限定されることはない。コンピュータ装置７のデータベース８に識別コード６が格納され、ＩＤ番号とメールアドレスが関連づけられると、移動体側移動端末９に、コンピュータ装置７から登録が完了したことをメールおよび／またはＷＥＢサイトからの情報の送信により通知する（Ｓ５）。これにより移動体の登録が完了する。
【００２２】
つぎに登録を完了した移動体４、または移動体４と関連する他の移動体４が迷子になった場合の流れを図６を用いて説明する。迷子の移動体４が迷子になり、迷子の移動体４が見つかると、同定手段３により迷子の移動体４に貼付されたＱＲコード５１が検知、同定され、当該迷子の移動体４のＱＲコード５１に付されたＩＤ番号が検知される（Ｓ１１）。迷子の移動体のＩＤ番号が検知されると、同定手段３がコンピュータ装置７と接続される。たとえば、同定手段３とコンピュータ装置７とは、公衆回線または専用回線により接続され、同定手段３からコンピュータ装置７にメールの送信やＷＥＢサイトからの情報の送信等により接続され、コンピュータ装置７に迷子の移動体４のＩＤ番号が送信される（Ｓ１２）。つぎにコンピュータ装置７に格納されたデータベース８から当該迷子の移動体４のＩＤ番号が参照され、当該ＩＤ番号から迷子の移動体４と関連する、たとえば保護者の移動体側移動端末９のアドレスが特定される（Ｓ１３）。コンピュータ装置７のデータベース８から移動体側移動端末９のアドレスが特定されると、特定されたアドレスに迷子情報を、たとえばメール等により送信する（Ｓ１４）。また、迷子情報は、メールの送信に限られるものではなく、たとえばＷＥＢサイトからの情報の送信や電話での連絡とすることもできる。上記Ｓ１１からＳ１４により、迷子の子供の情報を正確につかむことができ、かつ迷子の情報を円滑、確実に保護者等の携帯電話などの移動端末に送信することができ、館内放送などの迷子のお知らせをする必要がなくなる。
【００２３】
実施例
本考案の迷子検知システムの実施例を、遊園地で迷子になった場合を例にあげて図８〜１２を用いて説明する。
【００２４】
図８に示されるように、遊園地１０に親子が来場した場合、開口である入場口２０にて迷子検知システムの登録手続を行なう。入園前に有料または無料によりＱＲコード５１が印刷されたシール５が配布され、親である移動体４１は、子供である移動体４２にシール５を貼付する。シール５は、通常のシールであっても構わないが、汗や水に強い、転写シールを用いている。当該転写シールは、水を接着剤層側から供給し、接着剤層を露出させることにより皮膚に貼り付けることができる。皮膚に貼り付けた後、または皮膚に貼り付ける前に、子供４２が迷子になった際に、迷子の通知を受ける携帯電話９０のメールアドレスを登録する。登録の仕方は、シール５の裏面の剥離紙に記載することができる。
【００２５】
具体的には、シール５のＱＲコード５１を携帯電話のＱＲコード読み取り機能により読み取ると、迷子検知システムを管理しているコンピュータ装置７０にメールおよびＷＥＢサイトからの情報送信が可能となり、親４１は、コンピュータ装置７０にメールおよび／またはＷＥＢサイトから情報を送信する。コンピュータ装置７０がメールおよび／またはＷＥＢサイトからの情報を受信すると、コンピュータ装置７０は、当該コンピュータ装置７０のデータベース８０または、他のコンピュータのデータベースに、受信した親４１のメールアドレスおよびシール５のＱＲコード５１のＩＤ番号を格納する。これにより、子供４２のＱＲコード５１の識別情報と親４１のメールアドレスが関連づけられ、子供４２が迷子になった場合に確実に迷子情報を送信することができる。
【００２６】
データベース８０にメールアドレスが格納されると、登録が完了し、図１０に示すような登録完了のメールが、親４１の携帯電話９０に送信される。また、登録完了後には、メール本文に記載されたＵＲＬにアクセスすることにより、詳細情報の登録やキャンペーン等への参加を行なえるようにしてもよい。登録が完了すると遊園地内に入園する。なお、遊園地内に入園してから登録作業をしても構わない。
【００２７】
つぎに、登録が完了し、遊園地内で子供４２が迷子になった場合は、園内の係員１１が迷子の子供４２を見つけるか、迷子の子供４２が園内の係員１１に声をかける。係員１１は、係員１１が所有する同定手段３である携帯電話９１により、迷子の腕等に貼付されたシール５のＱＲコード５１を読み取る。さらに係員１１の携帯電話９１からコンピュータ装置７０にメールが送信されるか、ＷＥＢサイトから情報が送信され、送信されたＱＲコード５１により、迷子の子供４２が特定されるとともに迷子の子供４２の親４１のメールアドレスが特定される。このとき、ＩＤ番号、発見場所、保護している場所を送信することができる。係員１１は、迷子の子供４２をメールの送信前または送信後に迷子センターやインフォメーションなどの施設１２に連れて行って保護する。
【００２８】
迷子の子供４２および当該迷子の子供４２の親４１が特定されると、迷子情報を親４１の携帯電話９０に送信する。迷子情報としては、図１２に示される内容である、時刻、発見場所、保護場所、保護場所の地図等を送信することができ、親４１は当該メールの送信により、子供４２の迷子情報を確実につかむことができる。
【符号の説明】
【００２９】
１    空間
３    同定手段
４    移動体
５    シール
５ａ  シール層
５ｂ  インク層
５ｃ  接着剤層
５１  ＱＲコード
６    識別コード
７、７０    コンピュータ装置
８    施設側データベース
９    移動体側移動端末
【図１】
0003154162.tif 000003
【図２】
0003154162.tif 000004
【図３】
0003154162.tif 000005
【図４】
0003154162.tif 000006
【図５】
0003154162.tif 000007
【図６】
0003154162.tif 000008
【図７】
0003154162.tif 000009
【図８】
0003154162.tif 000010
【図９】
0003154162.tif 000011
【図１０】
0003154162.tif 000012
【図１１】
0003154162.tif 000013
【図１２】
0003154162.tif 000014